(57)【特許請求の範囲】
【請求項１】
座部と、
先端部が前記座部の前方へ伸長可能に前記座部に支持されたスライド部と、
折り畳み姿勢と展開姿勢を選択可能に前記スライド部に支持された左右一対の足載置部とを備えた椅子であって、
前記足載置部が、軸部と、足載置構造部を有する足載置部本体を備え、
前記軸部が前記スライド部に沿う折り畳み位置と、前記軸部の先端部が座部の幅方向外側に向く展開位置とを選択可能にスライド部に取り付けられ、
前記足載置部本体が、前記軸部が展開位置にあるとき、前記軸部を中心に回動し、前記足載置構造部を足載置姿勢と前記軸部の折り畳みを阻害しない非足載置姿勢に選択可能となるように前記軸部に支持されているとともに、回動によって前記スライド部の一部に係止され、足載置構造部を足載置姿勢に保持する係止部を備えていることを特徴とする椅子。
【請求項２】
前記足載置構造部が、少なくとも踵の足裏部分を受ける足裏支持部と、
少なくとも前記踵の背面部分を支持して足のずり落ちを防止するずり落ち防止部とを有する請求項１に記載の椅子。
【発明の詳細な説明】
【技術分野】
【０００１】
本発明は、例えば、座部に着座した椅座位の人を安定して入浴させることができるようにしたフットサポートを備えた椅子に関する。
【背景技術】
【０００２】
図１０および図１２に示すように、椅子部３と昇降装置４を有する椅子本体１と、この椅子本体１を支持した状態で床面を走行可能な台車部２を備え、人が椅子部３に着座した椅座位の状態で浴室まで移動できるとともに、椅子部３に着座した状態で入浴できるようにした入浴介助用車椅子（シャワーキャリー）Ｘが本発明の発明者によって提案されている（特許文献１）。
すなわち、この入浴介助用車椅子Ｘは、図１０に示すように、椅子本体１が、台車部２の第１レール２１に沿って、椅子部３の幅方向にスライド可能となるように、台車部２に支持されている。
【０００３】
そして、この入浴介助用車椅子Ｘは、以下のようにして、入浴介護できるようになっている。
すなわち、まず、図１２（ａ）に示すように、脱衣室や寝室等で椅子部３に入浴時に介護が必要な人を着座させ、入浴介助用車椅子Ｘを浴室まで移動させて、第１レール２１と、浴槽ＢＴの框上に設置した第２レール２２を連結する。
そののち、昇降装置４によって、椅子部３の座部３２を浴槽ＢＴの框より少し高い位置まで上げるとともに、椅子部３に着座した人の足をフットサポート１００によって框より少し高い位置になるように支持する。
【０００４】
つぎに、図１２（ｂ）に示すように、椅子本体１を第２レール２２側にスライドさせたのち、昇降装置４によって、図１２（ｂ）に示すように、椅子部３を座部３２が浴槽ＢＴの底面に近い位置まで下降させて、椅子部３に着座した人を椅子部３とともに、浴槽ＢＴに入槽させる。すなわち、人を椅座位の状態で入浴させる。
入浴が終われば、昇降装置４によって、図１２（ｂ）に示すように、椅子部３を上昇させたのち、図１２（ａ）に示すように、椅子本体１を第１レール２１側にスライドさせて椅子本体１を台車部２に合体させる。
【０００５】
そして、第１レール２１と第２レール２２の連結を解除し、フットサポート１００による足のサポートを解除するとともに、椅子部３を下降させて椅子部３に着座状態のまま脱衣室や寝室に入浴介助用車椅子Ｘを移動させる。
【０００６】
ところで、上記入浴介助用車椅子Ｘにおいて、フットサポート１００は、図１１に示すように、椅子部固定部１１０と、スライド部１２０と、一対の足載置部１３０を備えている。
椅子部固定部１１０は、椅子部３の座部３２の下方中央部で座部３２の下面に沿うように支持固定されている。
【０００７】
スライド部１２０は、座部３２に着座した椅座位の人あるいは介護者が、着座した人の両脚の間から下方に手を差し入れて椅子部固定部１１０の長手方向に押し引きすることによって座部３２の下面に対して平行状態を保ちながら座部３２の前後方向にスライド可能にガイド部に支持されている。
足載置部１３０は、軸部１４０と、クッション材１５０を備えている。
【０００８】
軸部１４０は、長手方向の一端が、スライド部１２０の先端部に回動可能に枢支されていて、回動によってスライド部１２０の側面に沿う折り畳み位置と、その他端が座部の幅方向外側に向く展開位置とを選択可能になっている。
クッション材１５０は、発泡樹脂等のクッション性の高い材料で形成された筒状をしていて、軸部１４０に外嵌されている。
【０００９】
すなわち、この入浴介護用椅子Ｘにおいては、椅子部３に着座した人または介護者が、着座した人の両脚の間に手を差し入れてスライド部１２０の先端部を持って座部３２の前方に引き出したのち、図１０に示すように、足載置部１３０の軸部１４０を展開状態にし、介護者が座部３２に着座した人の足を持ち上げて、土踏まず近傍の足の裏を、クッション材１５０を介して軸部１４０に支持させることによって、足を座部３２の下面に近い位置まで持ち上げた状態に保持することができる。
そして、椅子本体１を第１レール２１から第２レール２２、あるいは、第２レール２２から第１レール２１へ移動させる際に、介護者が着座した人の足を支持しなくても、足が浴槽ＢＴに引っかかることがない。したがって、介護者の負担が少ない。
【００１０】
また、フットサポート１００によって、足の高さ位置をほぼ座部３２の高さ位置に支持することができるので、座部３２を框の上面より少し高い位置にするだけで、椅子本体１を第１レール２１から第２レール２２、あるいは、第２レール２２から第１レール２１へ移動させることができ、椅子部３に着座した人に恐怖心を与えたりすることが少ない。
なお、図１０中、２３はフットレスト、３３はアームレストである。
【先行技術文献】
【特許文献】
【００１１】
【特許文献１】特開2015-58054号公報
【発明の概要】
【発明が解決しようとする課題】
【００１２】
しかし、上記フットサポート１００の構造によれば、足載置部１３０が単純な棒形状になっていて、椅座位の人の足の裏の土踏まず部分近傍を下方から支持するだけであるので、足の力が弱い人や重度の障害者によっては、介護者の支えがないと、足が下方へずり落ちてしまうおそれがある。
そこで、図１０に示すように、足載置部１３０に下端が支持されたベルト１６０を取り付け、このベルト１６０で足載置部１３０に載せられた人の足首部分にベルト１６０を巻き付けて足を固定する方法により上記問題を解決しようとしている。
【００１３】
しかしながら、上記のベルト１６０を用いた方法では、ベルト１６０を足首に巻きつけるまで、介護者が、足載置部１３０からずり落ちないように足を支持しておかなければならないため、介護される人の障害度によっては、一人作業では困難な場合があるとともに、介護される人にも負担をかけるおそれもある。
【００１４】
本発明は、上記事情に鑑みて、体位保持の難しい重度の障害者などにおいても、介護者が一人作業で椅座位の人の足を容易にかつ確実にフットサポートに支持させることができる椅子を提供することを目的としている。
【課題を解決するための手段】
【００１５】
上記目的を達成するために、本発明にかかる椅子（以下、「本発明の椅子」と記す）は、座部と、先端部が前記座部の前方へ伸長可能に前記座部に支持されたスライド部と、折り畳み姿勢と展開姿勢を選択可能に前記スライド部に支持された左右一対の足載置部とを備えた椅子であって、前記足載置部が、軸部と、足載置構造部を有する足載置部本体を備え、前記軸部が前記スライド部に沿う折り畳み位置と、前記軸部の先端部が座部の幅方向外側に向く展開位置とを選択可能にスライド部に取り付けられ、前記足載置部本体が、前記軸部が展開位置にあるとき、前記軸部を中心に回動し、前記足載置構造部を足載置姿勢と前記軸部の折り畳みを阻害しない非足載置姿勢に選択可能となるように前記軸部に支持されているとともに、回動によって前記スライド部の一部に係止され、足載置構造部を足載置姿勢に保持する係止部を備えていることを特徴としている。
【００１６】
本発明の椅子は、足載置構造部が、少なくとも踵の足裏部分を受ける足裏支持部と、少なくとも前記踵の背面部分を支持して足のずり落ちを防止するずり落ち防止部とを有することが好ましい。
すなわち、上記のような構成にすれば、椅座位の人の足を介護者が足裏支持部に足裏が受けられた足上げ状態にしたとき、足裏支持部から足が下方に滑り落ちようとしてもずり落ち防止部で足首部分が係止されずり落ちが防止される。
したがって、足の力が弱い、あるいは、障害度が重く、自力で棒状の足載置部に載せた状態に足を保持できない人においても、足載置部に足を載置した足上げ状態を介助なしに保ちやすくなり、介護作業性が向上する。
【００１７】
本発明の椅子は、足載置構造部が、足裏支持部に足裏が支持された足の、外足方向への横ずれを防止する外足横ずれ防止部および内足方向への横ずれを防止する内足横ずれ防止部の少なくとも一方を備えていることが好ましい。
すなわち、上記のような構成にすれば、足の下方へのずり落ちを防止するだけでなく、足の外足方向あるいは内足方向への横ずれを防止することができ、足載置構造部によって、足をより安定した足上げ状態に保持できる。
【００１８】
上記スライド部は、座部の下方で、座部に着座した椅座位の人の両脚の間に手を差し入れて操作可能に設けられ手いることが好ましい。
すなわち、着座者が椅座位姿勢のままスライド部を容易に進退させることができるとともに、スライド部の先端部を足からずれた位置まで座部前方へスライドさせることで、軸部を容易に展開状態にすることができる。そして、展開状態で、容易に足載置部本体を足載置姿勢にすることができる。
【００１９】
本発明の椅子は、足載置部が、足載置構造部との間で、足載置構造部に支持された足の足首近傍および足の甲部分またはそのいずれかを挟み込むように配置されて足を足載置部本体に支持された状態に保持するベルトを備えていることが好ましい。
すなわち、上記のような構成にすれば、足の上方へのずれも防止することができる。
【００２０】
上記足載置部本体やベルトの材質は特に限定されないが、踏みつけたり、体をぶつけたりした際に、双方を痛めることを防止できることから、シリコーンゴム等のゴム弾性を有する軟質材で構成することが好ましい。
また、ベルトを軟質材とすることで、着座者の足の大きさに合わせてベルトを伸縮させることができるとともに、ベルトの一端を軸部に固定し、ベルトの他端に係止孔を設けるとともに、係止孔を足載置部本体のいずれかに係止してベルトによって足を保持する状態にするような構成としたとき、係止孔部分を足載置部本体側に設けられた係止突起等に容易に無理嵌めして、ベルトの他端をしっかりとした固定状態とすることができる。
さらに、足載置部本体と、ベルト等を同一材料とすることで、各部品を同時に成形することもでき、材料調達・生産性の向上をはかることができる。
【発明の効果】
【００２１】
本発明の椅子は、上記のように、座部と、先端部が前記座部の前方へ伸長可能に前記座部に支持されたスライド部と、折り畳み姿勢と展開姿勢を選択可能に前記スライド部に支持された左右一対の足載置部とを備えた椅子であって、前記足載置部が、軸部と、足載置構造部を有する足載置部本体を備え、前記軸部が前記スライド部に沿う折り畳み位置と、前記軸部の先端部が座部の幅方向外側に向く展開位置とを選択可能にスライド部に取り付けられ、前記足載置部本体が、前記軸部が展開位置にあるとき、前記軸部を中心に回動し、前記足載置構造部を足載置姿勢と前記軸部の折り畳みを阻害しない非足載置姿勢に選択可能となるように前記軸部に支持されているとともに、回動によって前記スライド部の一部に係止され、足載置構造部を足載置姿勢に保持する係止部を備えているので、足載置部本体を上記非足載置姿勢にすることによって、軸部を折り畳み姿勢にすると、足載置部本体が座部の下方に入り込み、足載置部本体非使用時に足載置部が邪魔にならない。
また、足載置部本体を回動するだけで、係止部がスライド部の一部に係止されて容易に足載置構造部を足載置姿勢にすることができ、介護者の介護作業が簡素化されるとともに、軸部の回動も止めることができて安全性が向上する。
【図面の簡単な説明】
【００２２】
【図１】本発明の椅子の１つの実施の形態である入浴介護用車椅子の斜視図である。
【図２】図１の入浴介護用車椅子のフットサポートの斜視図である。
【図３】図２のフットサポートの足載置部本体の斜視図である。
【図４】図２のフットサポートの左足側の足載置部本体であって、同図（ａ）は平面図、同図（ｂ）は側面図、同図（ｃ）は正面図である。
【図５】図２のフットサポートのベルトの斜視図である。
【図６】図２のフットサポートのスライド部をもっとも後方にスライドさせて足載置部本体を座部の下方に収納した状態の斜視図である。
【図７】図２のフットサポートのスライド部を座部前方に引き出した軸部を展開姿勢とした態をあらわす斜視図である。
【図８】図２のフットサポートの足載置部の足載置構造部を足載置姿勢にした状態をあらわす斜視図である。
【図９】図２のフットサポートに足を支持させた状態をあらわす斜視図である。
【図１０】発明者が先に提案した入浴介護用車椅子の斜視図である。
【図１１】図１０の入浴介護用車椅子のフットサポートを説明する要部斜視図である。
【図１２】図１０の入浴介護用車椅子の使用方法を概略的に説明する図である。
【発明を実施するための形態】
【００２３】
以下に、本発明を、その実施の形態を参照して詳しく説明する。
図１は、本発明にかかる椅子の１つの実施の形態である入浴介護用車椅子をあらわしている。
【００２４】
図１に示すように、この入浴介護用車車椅子Ａ（以下、「車椅子」とのみ記す）は、フットサポート５の構造が異なる以外は、基本的に図１０の入浴介護用車椅子Ｘと同様の構造をしている。したがって、入浴介護用車椅子Ｘと同様の構成構造は、同じ符号を付している。
すなわち、フットサポート５は、図２に示すように、椅子部固定部５１と、スライド部５２と、左右一対の足載置部５３を備えている。
【００２５】
椅子部固定部５１は、２本の円筒状をしたガイド部５１１を備え、２本のガイド部５１１が、その筒軸が座部３２の幅方向の中心軸を挟んで平行となるように椅子部３に固定されている。
スライド部５２は、スライド部本体５４と、軸受部５５を備えている。
【００２６】
スライド部本体５４は、パイプをＵ字形に形成されていて、Ｕ字の両直線部５４１が上記ガイド部５１１に座部３２の前後方向にスライド可能に嵌まり込んでいるとともに、図示していないが、ストッパを備え、ストッパによって座部３２前方へのスライド長さが規制されるとともにガイド部５１１からの離脱が防止されている。
軸受部５５は、スライド部本体５４のＵ字の両直線部５４１をつなぐ連結部５４２にほぼ沿うようにスライド部本体５４に固定されている。
【００２７】
そして、スライド部５２は、軸受部５５がガイド部５１１の端面に当たるまで、スライド部本体５４が座部３２の後端側へスライドするようになっている。
すなわち、スライド部５２は、スライド部本体５４が、もっとも座部３２の後端側に後退した状態で、連結部５４２が座部３２の前端からはみ出るようになっていて、介護者は勿論、着座した椅座位の人Ｍ自身も両脚の間に手を差し入れて、スライド部本体５４のＵ字の連結部５４２を持つことによって、スライド部５２を座部３２の前方へ容易に引き出せるようになっている。
【００２８】
足載置部５３は、軸部５６と、足載置部本体５７と、ベルト５８と、キャップ５９を備えている。
軸部５６は、軸支部５６１を介して軸受部５５に水平方向に回動可能に支持されていて、図１および図６に示すスライド部本体５４の直線部５４１に沿う折り畳み位置と、図２、図７〜図９に示す直線部５４１に直交する展開位置とを選択できるようになっている。
【００２９】
足載置部本体５７は、シリコーンゴム等の軟質材の成形品であって、図３および図４に示すように、足載置構造部５７１と、係止部５７２を備えている。
足載置構造部５７１は、足裏支持部としての踵支持部５７１ａと、この踵支持部５７１ａを囲むように設けられた足裏支持部としての土踏まず支持部５７１ｂと、ずり落ち防止部５７１ｃと、外足横ずれ防止部５７１ｄと、内足横ずれ防止部５７１ｅを備えている。言い換えると、足載置部本体５７は底面と、底面の三方を囲う後背壁、内側壁および外側壁からなり、底面が踵支持部５７１ａ、後背壁がずり落ち防止部５７１ｃ、内側壁が内足横ずれ防止部５７１ｅそして外側壁が外足横ずれ防止部５７１ｄである。
足載置部本体５７は軸部５６が回転軸となるよう、踵支持部５７１ａもしくは内足横ずれ防止部５７１ｅの前方端にて軸部５６に回動自在に取り付けられている。
【００３０】
踵支持部５７１ａは、表面が平板状をしていて、足裏の踵部分を受けるようになっているとともに、水抜き孔５７１ｆを備えている。
土踏まず支持部５７１ｂは、踵支持部５７１ａの足先側端縁に連設されていて、軸部５６が嵌まり込む軸部挿通孔５７１ｇが穿設されている。
【００３１】
軸部挿通孔５７１ｇの内径は、軸部５６が嵌まり込んだ状態で、足載置部本体５７が軸部５６を中心に回動できれば、特に限定されないが、回動がスムーズに行えるように少し大径であってもよい。
また、土踏まず支持部５７１ｂの上面側の土踏まず当接部にはすべり止めの突条が軸に平行に設けられている。
【００３２】
ずり落ち防止部５７１ｃは、下端が踵支持部５７１ａの足首側端縁から立ち上がるとともに、外足横ずれ防止部５７１ｄおよび内足横ずれ防止部５７１ｅに繋がるように設けられていて、踵の足首部分を支持するように湾曲形状をしている。
外足横ずれ防止部５７１ｄは、下端が踵支持部５７１ａの外足側端縁から立ち上がるとともに、一端が土踏まず支持部５７１ｂに連設され、他端がずり落ち防止部５７１ｃに連設されている。
内足横ずれ防止部５７１ｅは、下端が踵支持部５７１ａの内足側端縁から立ち上がるとともに、一端が土踏まず支持部５７１ｂに連設され、他端がずり落ち防止部５７１ｃに連設されている。
【００３３】
係止部５７２は、内足横ずれ防止部５７１ｅに沿うように設けられ、係止溝５７２ａが設けられている。
係止溝５７２ａは、スライド部本体５４の直線部５４１の直径より大きな幅をしている。足載置部本体５７が軸部５６に沿って回転し、係止溝５７２ａに一方の直線部５４１が嵌まり込むことで、足載置部本体５７が固定される。
【００３４】
ベルト５８は、足載置部本体５７と同じシリコーンゴム等の軟質材の帯状をした成形品であって、図５に示すように、両端部に貫通孔５８１，５８２が穿設されているとともに、長手方向の一端にツマミ部５８３が設けられている。
貫通孔５８１の内径は、軸部５６が嵌まり込めば特に限定されないが、軸部５６の外径と同じか少し大径が好ましい。
【００３５】
貫通孔５８２の内径は、後述するキャップ５９に無理嵌めできて、キャップ５９を介して軸部５６に固定できれば、貫通孔５８１と同径でよい。
ツマミ部５８３は、足の外足側に配置される貫通孔５８２側の端部に設けられている。
【００３６】
キャップ５９は、足載置部本体５７と同じシリコーンゴム等の軟質材の帯状をした成形品であって、軸部５６の外径より少し小径の嵌着穴（図示せず）を備えている。
【００３７】
そして、足載置部本体５７、ベルト５８およびキャップ５９は、以下のように軸部５６に取り付けられている。
（１）ベルト５８のツマミ部５８３が設けられていない側の貫通孔５８１を軸部５６の軸支部５６１側の端部まで挿通する。
（２）係止部５７２が軸支部５６１側を向いた状態で、軸部挿通孔５７１ｇに軸部５６を貫通させて、足載置部本体５７を軸部５６に支持させる。
（３）軸部挿通孔５７１ｇを介して足載置部本体５７から突出した軸部５６の先端部をキャップ５９の嵌着穴（図示せず）に無理嵌めし、キャップ５９を軸部５６の先端部に装着して足載置部本体５７を抜け止めする。
（４）ベルト５８のツマミ部５８３側の貫通孔５８２にキャップ５９をはめ込んで、ベルト５８を馬蹄形になるとともに、馬蹄形を保持した状態でキャップ５９とともに軸部５６周りに回転可能に装着する。
【００３８】
そして、上記車椅子Ａは、以下のようにして使用される。
（１）図１に示すように、椅子本体１を台車部２に支持させた状態で、脱衣室や寝室等で歩行の困難な障害者や高齢者等を椅子部３に着座させて車椅子Ａを浴室の洗い場まで移送する。なお、このとき、フットサポート５は、図１および図６に示すように、スライド部５２がもっとも座部後端側へスライドした状態になっているとともに、軸部５６をスライド部本体５４の直線部５４１にほぼ沿う折り畳み状態となり、足載置部本体５７が座部３２に下方に隠れた状態になっている。
（２）図１１（ｂ）に示すように、上記第１レール２１を、浴槽ＢＴの框上に設置された第２レール２２に連結する。
（３）介護者（または着座した人Ｍ）が、着座した人Ｍに両脚の間から挿入した手でスライド部本体５４の連結部５４２をつかみ、図７に示すように、スライド部本体５４をストッパに当たるまで座部３２の前方に引き出すとともに、介護者（または着座した人Ｍ）が、軸部５６を展開位置になるように９０度水平方向に回動させる。
（４）図８に示すように、介護者（または着座した人Ｍ）が、足載置部本体５７を係止部５７２の係止溝５７２ａ内にスライド部本体５４の直線部５４１嵌り込み、足載置構造部５７１が足載置姿勢になるように回動させる。
なお、このとき、ベルト５８は、図８に示すように、足載置構造部５７１の下側に配置されていて、足載置構造部５７１上には障害物の無いようにしておく。
（５）図８に示すように、ベルト５８を足載置構造部５７１の下側に配置した状態で、図９に示すように、踵支持部５７１ａによって踵を支持させるとともに、土踏まず支持部５７１ｂによって土踏まずを支持させるように、介護者が、着座した人Ｍの足Ｆを持ち上げて、足載置構造部５７１に載せる。
すなわち、このとき、足載置部本体５７は、係止部５７２がスライド部本体５４の直線部５４１に係止されているので、介護者が手を離しても、踵が踵支持部５７１ａに支持された足Ｆは、足首の下端部がずり落ち防止部５７１ｃに係止された状態が保持される。また、外足横ずれ防止部５７１ｄおよび内足横ずれ防止部５７１ｅによって外足側および内足側への横ずれが防止できる。
（６）ベルト５８を図９に示すように上方に回転させ、足Ｆの甲部分あるいは足首部分を足載置構造部５７１との間で保持する。
なお、ベルト５８は、図９に二点鎖線で示すように、キャップ５９と貫通孔５８２の嵌合を解除しておき、足Ｆを足載置構造部５７１に載せたのち、貫通孔５８２をキャップ５９に嵌合させＦの甲部分あるいは足首部分を足載置構造部５７１との間で保持するようにしても構わない。また、着座した人Ｍがベルト５８を不要な軽度の障害者の場合、貫通孔５８２の嵌合を解除したままでも構わない。
（７）以下、図１０の車椅子Ｘと同様にして入浴介護する。
【００３９】
この車椅子Ａは、フットサポート５が上記のようになっているので、以下のような優れた点を備えている。
（１）足載置部本体５７が係止部５７２を備え、その係止溝５７２ａにスライド部本体５４の直線部５４１が嵌まり込んで、足載置構造部５７１が足載置姿勢にしっかりと保持される。そして、足裏の踵と土踏ますが足載置構造部５７１に受けられるだけでなく、ずり落ち防止部５７１ｃによって足首部が支持されて足Ｆの後方へのずり落ちが防止される。
したがって、介護者が一方の足Ｆを足載置構造部５７１に支持させたのち、他方の足Ｆをもう一方の足載置構造部５７１に支持されるまで一方の足を支えなくても足Ｆが後方にずり落ちることがない。
すなわち、一人作業で容易に両足をフットサポート５に支持させることができる。
（２）フットサポート５を使用しないときは、足載置部５３がスライド部５２の前端部分を残し，ほとんど座部３２の下側に入り込んだ状態となるため、脱衣場や寝室での椅子部３への乗り移りの際にフットサポート５が邪魔にならない。
（３）足載置部本体５７、ベルト５８およびキャップ５９がシリコーンゴム等のゴム弾性を有する軟質材で成形されているので、踏みつけたり、体をぶつけたりした際に、双方を痛めることを防止できる。
（４）足載置部本体５７、ベルト５８およびキャップ５９が同一の材料で成形されるので、各部品を一つの金型で同時に成形することもでき、材料調達・生産性の向上をはかることができる。
（５）水抜き孔５７１ｆを備えているので、足載置部５３が浴槽ＢＴ内に沈んでいくときに、浮力で足載置部本体５７が浮き上がって反転したり、浴槽ＢＴから引き上げるときに、足載置構造部５７１内に湯がたまり、足載置部本体５７が反転したりすることを防止できる。
（６）足載置構造部５７１が外足横ずれ防止部５７１ｄおよび内足横ずれ防止部５７１ｅを備えているので、足の内外方向への横ずれも防止できる。
（７）キャップ５９が軟質材で形成され、キャップ５９を軸部５６に無理嵌めするだけで、ベルト５８および足載置部本体５７が軸部５６に支持された状態になっているので、キャップ５９を取り外すだけで、ベルト５８および足載置部本体５７を軸部５６から容易に取り外すことができる。すなわち、軸部５６、キャップ５９、ベルト５８および足載置部本体５７の洗浄を容易に行うことができ、衛生的であるとともに、キャップ５９、ベルト５８および足載置部本体５７が傷んだ場合、容易に交換できる。
【００４０】
本発明は、上記の実施の形態に限定されない。例えば、上記の実施の形態では、足載置構成部が、足載置部本体がシリコーンゴム等の軟質材の成形品であったが、軸部と、棒状のずり落ち防止部を平行リンクで連結して、ずり落ち防止部を軸部に沿うように折り畳めるようにするとともに、軸部とずり落ち防止部間に可撓性のネットを掛け渡し、このネットで踵を受けるとともに、軸部で土踏まず部分を受けるようにしても構わない。
【００４１】
また、椅子は、椅子部のみを浴室内に設置されたリフト装置によって台車部から吊り上げて椅子部を浴槽上方に臨ませたのち、椅子部を浴槽内に下降させて入浴させるような構造になっていても構わない。また、椅子は、浴室壁面に沿ってスライドレールを備え、このスライドレールにスライド可能に設けられた昇降装置を介して支持される構造になっていても構わない。
上記の実施の形態では、ベルトに外足側端部に設けられた貫通孔にキャップの頭部を無理嵌めして、ベルトの外足側端部を固定するようしていたが、ベルトに外足側端部に設けられた貫通孔に軸部の端部を挿入し、その後キャップを装着するようにしても構わない。
【００４２】
上記の実施の形態では、ガイド部が円筒状をしていたが、角筒状をしていても構わない。
上記の実施の形態では、キャップが軟質材で形成され、キャップに設けた嵌合穴に軸部の端部を無理嵌めしてキャップを装着するようにしていたが、キャップが硬質材であれば、軸部の端部に雄ねじを設け、キャップの嵌合穴に雌ねじを設けてキャップを軸部の端部にねじ止めするようにしても構わない。
【符号の説明】
【００４３】
Ａ  車椅子
ＢＴ  浴槽
Ｆ  足
１  椅子本体
２  台車部
２１  第１レール
２２  第２レール
２３  フットレスト
３  椅子部
３１  背凭れ部
３２  座部
３３  アームレスト
４  昇降装置
５  フットサポート
５１  椅子部固定部
５１１  ガイド部
５２  スライド部
５３  足載置部
５４  スライド部本体
５４１  直線部
５４２  連結部
【図１】
0006541228.tif 000002
【図２】
0006541228.tif 000003
【図３】
0006541228.tif 000004
【図４】
0006541228.tif 000005
【図５】
0006541228.tif 000006
【図６】
0006541228.tif 000007
【図７】
0006541228.tif 000008
【図８】
0006541228.tif 000009
【図９】
0006541228.tif 000010
【図１０】
0006541228.tif 000011
【図１１】
0006541228.tif 000012
【図１２】
0006541228.tif 000013